(57)【要約】【課題】携帯通信装置の携帯者の行動（移動）のパターンに応じ、携帯者の所望の結果が得られるように、ジョブに関する設定値を自動的に設定する。【解決手段】画像形成装置は、通信部、記憶部、制御部を含む。記憶部は、設定値データと経路データを含む設定情報を記憶する。通信部は、携帯通信装置と通信可能になったとき、携帯通信装置から現在経路データを取得する。現在経路データを取得したとき、制御部は、記憶部の設定情報のうち、取得した現在経路データと経路データが同じ設定情報を抽出する。抽出した設定情報の設定値データの設定値を再現する。【選択図】図９
2019097094.tif 000002
【特許請求の範囲】
【請求項１】
携帯通信装置と通信する通信部と、
現在設定値情報と設定情報を記憶する記憶部と、
前記現在設定値情報に基づきジョブを行わせる制御部と、を含み、
前記現在設定値情報は、これから実行しようとするジョブについて、現在設定されている各設定項目の設定値を示すデータであり、
前記設定情報は、設定値データと経路データを含み、
前記設定値データは、実行されたジョブの各設定項目の設定値を示し、
前記経路データは、前記設定値データに対応するジョブが実行されたときに前記携帯通信装置が前記通信部と通信可能となるまでの移動経路を示し、
前記通信部は、前記携帯通信装置と通信可能になったとき、前記携帯通信装置から現在経路データを取得し、
前記現在経路データは、今回、前記画像形成装置と通信可能になるまでの前記携帯通信装置の携帯者の移動経路を示し、
前記通信部が前記現在経路データを取得したとき、
前記制御部は、
前記記憶部の前記設定情報のうち、取得した前記現在経路データと前記経路データが同じ前記設定情報を抽出し、
抽出した前記設定情報の前記設定値データの前記設定値が再現されるように、前記現在設定値情報を前記記憶部に更新させることを特徴とする画像形成装置。
【請求項２】
前記携帯者を撮影するためのカメラを含み、
前記通信部が前記携帯通信装置と通信可能になったとき、
前記制御部は、
前記携帯者を前記カメラに撮影させ、
撮影により得られた撮影データに基づき、前記携帯者の所持物を判定し、
複数の前記設定情報を抽出したとき、抽出された前記設定情報である１次抽出情報から前記所持物を用いて行うジョブの前記設定情報をさらに抽出し、
前記１次抽出情報からさらに抽出した前記設定情報である２次抽出情報の前記設定値データの前記設定値が再現されるように、前記現在設定値情報を前記記憶部に更新させることを特徴とする請求項１に記載の画像形成装置。
【請求項３】
原稿を読み取る画像読取部を含み、
前記制御部は、
前記撮影データに基づき、前記所持物が紙であるか否かを判定し、
前記所持物が紙であると判定したとき、前記１次抽出情報のうち、前記画像読取部を用いるジョブの前記設定情報を前記２次抽出情報として抽出することを特徴とする請求項２に記載の画像形成装置。
【請求項４】
携帯型メモリーを接続し、前記携帯型メモリーの読み書きを行うためのメモリーインターフェイスを含み、
前記制御部は、
前記撮影データに基づき、前記所持物が前記携帯型メモリーであるか否かを判定し、
前記所持物が前記携帯型メモリーであると判定したとき、前記１次抽出情報のうち、前記携帯型メモリーを用いるジョブの前記設定情報を前記２次抽出情報として抽出することを特徴とする請求項２又は３に記載の画像形成装置。
【請求項５】
操作パネルを含み、
前記操作パネルは、表示パネルを含み、操作を受け付け、
複数の前記１次抽出情報を抽出したものの前記所持物を判定できなかったとき、又は、複数の前記２次抽出情報が抽出されたとき、
前記制御部は、
複数の前記１次抽出情報、又は、複数の前記２次抽出情報のなかから使用する前記設定情報を選択するための選択画面を前記表示パネルに表示させ、
前記選択画面で選択された前記設定情報に含まれる前記設定値データの前記設定値が再現されるように、前記現在設定値情報を前記記憶部に更新させることを特徴とする請求項２乃至４の何れか１項に記載の画像形成装置。
【請求項６】
前記制御部は、前記選択画面で選択された前記設定情報に含まれる前記設定値データにより設定される設定値を前記表示パネルに表示させることを特徴とする請求項５に記載の画像形成装置。
【請求項７】
ジョブが実行されたとき、
前記制御部は、
前記現在経路データと前記経路データが同じであり、かつ、実行したジョブの前記現在設定値情報と前記設定値データが同じ前記設定情報である同一情報を前記記憶部が記憶しているか否かを確認し、
前記同一情報を記憶しているとき、前記同一情報の使用頻度値を加算し、
複数の前記１次抽出情報を抽出したものの前記所持物を判定できなかったとき、又は、複数の前記２次抽出情報が抽出されたとき、前記使用頻度値が大きいほど前記優先順位が高くなるように抽出した各前記設定情報の優先順位を設定し、
前記優先順位が高いものから順に、複数の前記設定情報を表示候補として選択し、
前記表示候補として選択した前記設定情報に含まれる前記設定値データの内容を前記選択画面に表示させることを特徴とする請求項５又は６に記載の画像形成装置。
【請求項８】
前記同一情報が記憶されていないとき、
前記制御部は、前記現在経路データを前記経路データとし、前記現在設定値情報を前記設定値データとする前記設定情報を前記記憶部に新たに記憶させることを特徴とする請求項７に記載の画像形成装置。
【請求項９】
前記操作パネルは使用する前記設定情報を切り替えるための切替操作を受け付け、
前記切替操作がなされたとき、
前記制御部は、前記切替操作により新たに選択された前記設定情報に含まれる前記設定値データの前記設定値が再現されるように、前記現在設定値情報を前記記憶部に更新させることを特徴とする請求項５乃至８の何れか１項に記載の画像形成装置。
【請求項１０】
請求項１乃至９の何れか１項に記載の画像形成装置と、
前記通信部と通信可能になったとき、前記通信部に前記現在経路データを送信する携帯通信装置と、を含むことを特徴とする画像形成システム。
【発明の詳細な説明】
【技術分野】
【０００１】
本発明は、画像形成装置に関する。また、本発明は、画像形成装置と携帯通信装置を含む画像形成システムに関する。
【背景技術】
【０００２】
携帯端末が普及している。携帯端末は、例えば、携帯電話である。携帯端末で画像形成装置の設定を行えるようにすることがある。このような携帯端末を利用して画像形成装置の設定を行う技術の一例が特許文献１に記載されている。
【０００３】
特許文献１には、非接触無線通信を行い、対象機器により実行される機能の設定情報を設定し、設定された設定情報を格納し、格納された設定情報を非接触無線通信により対象機器に送信する携帯端末が記載されている。この構成により、機能の設定情報を登録しておき、携帯端末を対象機器に近づけるだけで、設定情報を所望の機器に設定できるようにしようとする（特許文献１：請求項１、段落［０００６］等参照）。
【先行技術文献】
【特許文献】
【０００４】
【特許文献１】特開２０１５−０９９５６５号公報
【発明の概要】
【発明が解決しようとする課題】
【０００５】
近年、画像形成装置の高機能化が進んでいる。画像形成装置には、様々な設定項目が用意される。使用者は、所望の結果を得られるように、設定項目を選ぶ。使用者は、所望の結果が得られるように、選択した設定項目の設定値を設定する。例えば、両面印刷の印刷物を得たい場合、使用者は、両面印刷の設定項目を選ぶ。そして、使用者は、両面印刷を有効とする設定値を設定する。
【０００６】
使用者が設定したい設定値は時と場合により異なる。ジョブを実行する場合、設定値が常に同じとは限らない。携帯端末に登録した設定情報では、所望の結果が得られないことがある。この場合、使用者は操作パネルに設定操作を行う。例えば、使用者は、必要な設定値を追加する操作を行う。また、使用者は不適切な設定値を訂正する操作を行う。携帯端末から設定情報を送っても、使用者の操作負担を軽減できないことが多いという問題がある。なお、携帯端末に複数の設定情報を登録することは考えられる。しかし、複数の設定情報を登録する場合、使用目的にあった設定情報を選ぶ必要がある。選択しなければならないので、使用者の操作負担が増える。
【０００７】
特許文献１記載の技術では、１機種につき、１つの設定情報のみ登録することができる。１機種につき、複数の設定情報を登録することさえできない。従って、上記の問題を解決することはできない。
【０００８】
本発明は、上記従来技術の問題点に鑑み、携帯通信装置の携帯者の行動（移動）のパターンに応じ、携帯者の所望の結果が得られるように、ジョブに関する設定値を自動的に設定する。
【課題を解決するための手段】
【０００９】
本発明に係る画像形成装置は、通信部、記憶部、制御部を含む。前記通信部は携帯通信装置と通信する。前記記憶部は、現在設定値情報と設定情報を記憶する。前記制御部は、前記現在設定値情報に基づきジョブを行わせる。前記現在設定値情報は、これから実行しようとするジョブについて、現在設定されている各設定項目の設定値を示すデータである。前記設定情報は、設定値データと経路データを含む。前記設定値データは、実行されたジョブの各設定項目の設定値を示す。前記経路データは、前記設定値データに対応するジョブが実行されたときに前記携帯通信装置が前記通信部と通信可能となるまでの移動経路を示す。前記通信部は、前記携帯通信装置と通信可能になったとき、前記携帯通信装置から現在経路データを取得する。前記現在経路データは、今回、前記画像形成装置と通信可能になるまでの前記携帯通信装置の携帯者の移動経路を示す。前記通信部が前記現在経路データを取得したとき、前記制御部は、前記記憶部の前記設定情報のうち、取得した前記現在経路データと前記経路データが同じ前記設定情報を抽出する。前記制御部は、抽出した前記設定情報の前記設定値データの前記設定値が再現されるように、前記現在設定値情報を前記記憶部に更新させる。
【発明の効果】
【００１０】
本発明によれば、携帯通信装置の携帯者の行動（移動）のパターンに応じ、ジョブに関する設定値を自動的に設定することができる。携帯者の所望の結果が得られるように、ジョブに関する設定値を自動的に設定することができる。
【図面の簡単な説明】
【００１１】
【図１】実施形態に係る画像形成システムの一例を示す図である。
【図２】実施形態に係る画像形成装置の一例を示す図である。
【図３】実施形態に係る携帯通信装置の一例を示す図である。
【図４】実施形態に係る画像形成装置による所持物の判定の流れの一例を示す図である。
【図５】実施形態に係る移動履歴データの記憶の一例を説明するための図である。
【図６】実施形態に係る画像形成装置による現在経路データの取得の流れの一例を示す図である。
【図７】実施形態に係る画像形成装置の記憶内容の一例を示す図である。
【図８】実施形態に係る画像形成装置の設定情報の蓄積の流れの一例を示す図である。
【図９】実施形態に係る画像形成装置の設定値の自動設定の一例を示す図である。
【図１０】実施形態に係る画像形成装置の設定値の自動設定の一例を示す図である。
【図１１】実施形態に係る選択画面の一例を示す図である。
【図１２】実施形態に係る設定情報（設定値データ）の切替の一例を示す図である。
【発明を実施するための形態】
【００１２】
以下、図１〜図１２を用いて、本発明の実施形態に係る画像形成装置１、及び、画像形成システム１００を説明する。但し、本実施の形態に記載されている構成、配置等の各要素は、発明の範囲を限定するものではなく単なる説明例にすぎない。
【００１３】
（画像形成システム１００）
図１を用いて、実施形態に係る画像形成システム１００の一例を説明する。図１は、実施形態に係る画像形成システム１００の一例を示す図である。
【００１４】
図１に示すように、画像形成システム１００は、画像形成装置１と携帯通信装置２を含む。以下の説明では、画像形成装置１が複合機である例を説明する。なお、画像形成装置１は、プリンターや複写機でもよい。また、以下の説明では、携帯通信装置２を所持しつつ移動する者を携帯者と称する。
【００１５】
画像形成装置１（複合機）で実行可能なジョブは複数種類ある。例えば、コピージョブ、スキャン保存ジョブ、スキャン送信ジョブ、メモリー接続印刷ジョブを行うことができる。コピージョブは、原稿読み取りで得られた画像データに基づき印刷するジョブである。コピージョブは、原稿の複写物を得るためのジョブである。スキャン保存ジョブは、原稿読み取りで得られた画像データを画像形成装置１のストレージ１１ｃに記憶するジョブである。スキャン送信ジョブは、原稿読み取りで得られた画像データを設定された宛先に向けて送信するジョブである。メモリー接続印刷ジョブは、画像形成装置１に接続された携帯型メモリー３からデータを読み出し、読み出したデータに基づき印刷を行うジョブである。携帯型メモリー３は、例えば、ＵＳＢメモリーやメモリーカードである。
【００１６】
携帯通信装置２は、使用者に携帯（所持）される。携帯通信装置２は使用者とともに移動する。図１に示すように、スマートフォンを携帯通信装置２として用いる例を説明する。なお、携帯通信装置２はスマートフォンに限られない。携帯通信装置２は、タブレット型コンピューター２００でもよいし、ノートＰＣでもよいし、ヘッドマウントディスプレイ２２でもよい。携帯され、他の通信機器と通信する機能を有しているものを携帯通信装置２として利用することができる。
【００１７】
（画像形成装置１）
図２を用いて、実施形態に係る画像形成装置１の一例を説明する。図２は、実施形態に係る画像形成装置１の一例を示す図である。
【００１８】
図２に示すように、画像形成装置１は、制御部１０、第１記憶部１１、操作パネル１２、画像読取部１３、印刷部１４、通信部１５、メモリーインターフェイス１６、カメラ１７を含む。
【００１９】
制御部１０は画像形成装置１の動作を制御する。制御部１０はＣＰＵ１０ａ、画像処理部１０ｂを含む。第１記憶部１１はＲＡＭ１１ａ、ＲＯＭ１１ｂ、ストレージ１１ｃを含む。ストレージ１１ｃは大容量の不揮発性記憶装置である。例えば、ストレージ１１ｃはＨＤＤやＳＳＤである。第１記憶部１１は画像形成装置１を制御するためのデータ、設定、プログラムを記憶する。ＣＰＵ１０ａは第１記憶部１１に記憶されるプログラム、データに基づき画像形成装置１を制御する。画像処理部１０ｂは画像データを処理する回路を含む。画像処理部１０ｂは画像データを処理し、ジョブに用いる画像データを生成する。
【００２０】
原稿を読み取るジョブ（コピージョブ、スキャン保存ジョブ、スキャン送信ジョブ）のとき、制御部１０は、原稿を画像読取部１３に読み取らせる。画像読取部１３は、原稿の画像データを生成する。
【００２１】
操作パネル１２は使用者の設定操作を受け付ける。操作パネル１２は、表示パネル１２ａ、タッチパネル１２ｂ、ハードキー１２ｃを含む。表示パネル１２ａは、液晶パネル又は有機ＥＬパネルである。制御部１０は設定画面や操作用画像を表示パネル１２ａに表示させる。操作用画像は、例えば、ボタン、ソフトキー、タブである。使用者は、表示パネル１２ａに表示された操作用画像を操作（タッチ）する。これにより、使用者は、画像形成装置１の各種設定を入力できる。
【００２２】
タッチパネル１２ｂは表示パネル１２ａの上面に設けられる。タッチパネル１２ｂは使用者がタッチした位置、座標を検知する。タッチパネル１２ｂは使用者の操作を受け付ける。タッチパネル１２ｂの出力は制御部１０に入力される。制御部１０は、使用者のタッチ位置を認識する。タッチパネル１２ｂの出力に基づき、制御部１０は、使用者が操作した操作用画像を認識する。制御部１０は使用者の設定操作を認識する。使用者の設定に基づき、制御部１０は、画像読取部１３、印刷部１４、通信部１５を動作させる（ジョブを行わせる）。例えば、ハードキー１２ｃは、テンキーやスタートキーである。テンキーは、数字入力用のキーである。スタートキーはジョブ開始指示用のキーである。ハードキー１２ｃも使用者の操作を受け付ける。
【００２３】
操作パネル１２はジョブの種類の選択を受け付ける。使用者は、実行するジョブの種類を操作パネル１２で選択できる。選択できるジョブの種類には、例えば、コピージョブ、スキャン送信ジョブ、スキャン保存ジョブ、メモリー接続印刷ジョブがある。ジョブの種類ごとに、複数の設定項目が設けられる。例えば、コピージョブに関し、印刷に用いる用紙サイズや、拡大縮小の倍率のような設定項目が設けられる。操作パネル１２は、設定項目の選択を受け付ける。
【００２４】
また、操作パネル１２は選択された設定項目の設定値の設定を受け付ける。例えば、用紙サイズの設定項目の場合、使用する用紙サイズを設定値として設定することができる（例えば、レターサイズ）。拡大縮小の設定項目については、倍率を設定値として設定することができる。なお、スキャン送信やスキャン保存ジョブでは、原稿の画像データの送信先（保存先）の設定値の設定が必要である。
【００２５】
印刷部１４は、例えば、給紙部１４ａ、用紙搬送部１４ｂ、画像形成部１４ｃ、定着部１４ｄを含む。印刷を伴うジョブのとき、制御部１０は、画像データに基づく印刷を印刷部１４に実行させる。制御部１０は用紙を給紙部１４ａに供給させる。制御部１０は用紙を用紙搬送部１４ｂに搬送させる。制御部１０は画像形成部１４ｃにトナー像を形成させる。制御部１０は、形成されたトナー像の用紙への転写を画像形成部１４ｃに行わせる。制御部１０は、トナー像の用紙への定着を定着部１４ｄに行わせる。
【００２６】
通信部１５は、ネットワークを介し、コンピューター２００と通信できる。通信部１５はコンピューター２００から送信された印刷用データを受信する。制御部１０は、受信した印刷用データに基づき、印刷部１４に印刷させる。また、通信部１５は、近距離無線通信により、携帯通信装置２の無線通信部２８と通信を行える。例えば、通信部１５は、Ｗｉ−Ｆｉの規格に基づき、無線通信部２８と通信できる。また、通信部１５は、Ｂｌｕｅｔｏｏｔｈ（登録商標）の規格に基づき、無線通信部２８と通信を行ってもよい。通信部１５は、規格に基づく通信を行うためのハードウェア（通信回路）、通信ソフトウェアを備える。
【００２７】
メモリーインターフェイス１６は、携帯型メモリー３を画像形成装置１に接続する部分である。メモリーインターフェイス１６は、携帯型メモリー３と通信するためのソケット、端子、通信回路、通信ソフトウェアを含む。制御部１０は、メモリーインターフェイス１６に接続された携帯型メモリー３からデータを読み出すことができる。制御部１０は、読み出したデータに基づく印刷を印刷部１４に行わせる（メモリー接続印刷ジョブ）。
【００２８】
画像形成装置１は、カメラ１７を含む。カメラ１７は１台でもよいし、複数台でもよい。制御部１０は、画像形成装置１に近づく携帯者をカメラ１７に撮影させる。カメラ１７は、レンズ、イメージセンサー、撮影データ生成回路を含む。レンズは、画像形成装置１に近づく携帯者を撮影できる方向に向けられる。
【００２９】
イメージセンサーは２次元的に配列された複数の受光素子を含む。イメージセンサーの各受光素子は、受光量に応じた大きさのアナログ信号（電荷）を出力する。例えば、イメージセンサーは、Ｒ、Ｇ、Ｂの色成分のアナログ信号を出力する。撮影データ生成回路は、イメージセンサーから出力されるアナログ信号を処理する。撮影データ生成回路は、処理後のアナログ信号をＡ／Ｄ変換する。撮影データ生成回路は、撮影データ（ディジタルデータ）を出力する。撮影データは第１記憶部１１に記憶される。
【００３０】
（携帯通信装置２）
次に、図３を用いて、実施形態に係る携帯通信装置２の一例を説明する。図３は、実施形態に係る携帯通信装置２の一例を示す図である。
【００３１】
携帯通信装置２は、処理部２０、第２記憶部２１、ディスプレイ２２、タッチパネル２３、音声処理部２４、マイクロフォン２５、再生処理部２６、スピーカー２７、無線通信部２８を含む。
【００３２】
処理部２０は、携帯通信装置２の動作を制御する回路である。処理部２０は、ＣＰＵ２０ａや画像処理回路２０ｂを含む。処理部２０は、ＯＳ、プログラム、アプリケーション、データに基づき、携帯通信装置２の動作を制御する。画像処理回路２０ｂは、画像データの画像処理を行う。
【００３３】
第２記憶部２１はＲＯＭ、ＲＡＭ、フラッシュメモリーを含む。第２記憶部２１は、携帯通信装置２のＯＳ、プログラム、アプリケーション、データを不揮発的に記憶する。処理部２０は、第２記憶部２１の記憶内容に従って、携帯通信装置２の各部を制御する。タッチパネル２３を通じた使用者のアプリケーションの起動要求に応じ、処理部２０は、第２記憶部２１からアプリケーションを第２記憶部２１に読み出し、実行する。
【００３４】
アプリケーションとして、経路取得アプリケーション２９が第２記憶部２１にインストールされる。第２記憶部２１は経路取得アプリケーション２９を不揮発的に記憶する。経路取得アプリケーション２９は、携帯者が画像形成装置１に近づいたとき、画像形成装置１に現在経路データを自動的に送信するためのアプリケーションである（詳細は後述）。
【００３５】
ディスプレイ２２は、処理部２０からの要求に従い各種情報を表示する。ディスプレイ２２は、液晶パネルや有機ＥＬパネルのような表示用のパネルである。ディスプレイ２２は、操作用画像を表示する。操作用画像は、例えば、アイコン、ボタン、キー、タブである。タッチパネル２３は処理部２０と接続される。処理部２０は、タッチパネル２３の出力に基づき、タッチ位置を認識し、操作された（タッチされた）操作用画像を認識する。アイコンやボタンやキーを押すことにより、使用者は、アプリケーションの起動及び利用することができる。音声処理部２４は、マイクロフォン２５から入力された音声を無線通信部２８から送信できるデータに変換する信号処理を行う。再生処理部２６は、無線通信部２８で受信した相手方からの音（声）のデータをスピーカー２７に再生させる。
【００３６】
無線通信部２８は近距離無線通信を行うための回路、ソフトウェアを含む。無線通信部２８は処理部２０の指示に応じて、通信可能距離内にある無線機器４と通信する。無線通信部２８（携帯通信装置２）は、近距離無線通信により、画像形成装置１とも通信できる。例えば、無線通信部２８は、ＩＥＥＥ  ８０２．１１シリーズ（Ｗｉ−Ｆｉ）の規格に基づく通信を行える。また、無線通信部２８は、Ｂｌｕｅｔｏｏｔｈの規格に基づく通信も行える。無線通信部２８は、通信規格に基づいて通信を行うためのハードウェア（通信回路）、通信ソフトウェアを備える。無線通信部２８は、他の通信規格に基づく通信を行えてもよい。
【００３７】
（携帯者の所持物の判定）
次に、図４を用いて、実施形態に係る画像形成装置１による所持物の判定の流れの一例を説明する。図４は、実施形態に係る画像形成装置１による所持物の判定の流れの一例を示す図である。
【００３８】
画像形成装置１の通信部１５と携帯通信装置２の無線通信部２８は無線で通信できる。近距離無線通信可能なエリア内に携帯通信装置２が入ったとき、通信部１５と無線通信部２８は互いに通信を開始する。通信部１５は、自分の近距離無線通信可能なエリア内に携帯通信装置２が入ったことを認識する。図４のスタートは、通信部１５が携帯通信装置２と通信可能になった時点である。
【００３９】
まず、画像形成装置１の制御部１０は、携帯通信装置２の所持者（携帯者）をカメラ１７に撮影させる（ステップ♯１１）。言い換えると、制御部１０は、画像形成装置１に向かって近づいている携帯者をカメラ１７に撮影させる。そして、撮影で得られた撮影データに基づき、制御部１０は、所持物を判定する。
【００４０】
撮影データは画像データの一種である。制御部１０（画像処理部１０ｂ）は、撮影データに基づき、携帯者の所持物を判別する。まず、制御部１０は各撮影データ中の移動物体部分を認識する。携帯者が画像形成装置１に近づく場合、携帯者はカメラ１７にも近づいていることになる。携帯者がカメラ１７に近づいている場合、撮影データ内での携帯者の大きさが変化する。複数枚の撮影データを比較することにより、移動物体部分を認識することができる。
【００４１】
移動物体部分を認識するため、制御部１０は、所定の時間間隔で複数回、撮影させる。通信部１５が携帯通信装置２と通信可能な間、制御部１０は周期的にカメラ１７に撮影させてもよい。あるいは、撮影回数は予め定められてもよい。これにより、複数枚の撮影データが得られる。制御部１０は、複数枚の撮影データをそれぞれ比較する。制御部１０は、撮影データごとに、変化している画素領域を判定する。制御部１０は、変化している画素領域を移動物体部分と判定する。
【００４２】
制御部１０は、移動物体部分と判定した画素領域のうち、肌色画素領域を認識する。制御部１０は撮影データごとに肌色画素領域を認識する。肌色と扱う画素値は予め定められる。制御部１０は、撮影データごとに、認識した肌色画素領域のうち、手の部分を判定する。携帯者を撮影した場合、通常、顔から首の部分と手の部分が肌色画素領域と判定される。撮影データにおいて、顔の肌色画素領域は一番上側に位置する。そこで、例えば、制御部１０は、一番上側の肌色画素領域よりも下の肌色画素領域を手の部分と判定する。
【００４３】
そして、制御部１０は、携帯者の所持物が紙であるか否かを判定する（ステップ♯１２）。具体的に、制御部１０は、各撮影データにおいて、手の肌色画素領域の近傍の画素を確認する。複数又は全ての撮影データにおいて、手の近傍に一定サイズ以上の白色領域が撮影されているか否かを確認する。白と扱う画素値は予め定められる。手の近傍に一定サイズ以上の白色領域があるとき、制御部１０は、携帯者の所持物は紙であると判定する（ステップ♯１２のＹｅｓ）。所持物が紙と判定できたとき、所持物の判定は終了したので、本フローは終了する（エンド）。手の近傍に一定サイズ以上の白色領域がないとき、制御部１０は、携帯者は紙を持っていないと判定する（ステップ♯１２のＮｏ）。なお、他のアルゴリズムに基づき、制御部１０は紙を持っているか否かを判定してもよい。
【００４４】
ステップ♯１２のＮｏの場合、制御部１０は、携帯者の所持物が携帯型メモリー３であるか否かを判定する（ステップ♯１３）。携帯型メモリー３はＵＳＢメモリーやメモリーカードである。例えば、第１記憶部１１は、携帯型メモリー３のテンプレート画像を複数記憶する。テンプレート画像は、ＵＳＢメモリーのコネクタ部分のように、携帯型メモリー３の一部分のみでもよい。制御部１０は、各撮影データにテンプレート画像と同じパターン又は近似するパターンが含まれているか否か確認する。撮影データがテンプレート画像と類似度が所定値以上の画像を含むとき、制御部１０は携帯型メモリー３を所持していると判定する（ステップ♯１３のＹｅｓ）。所持物が携帯型メモリー３と判定できたとき、所持物の判定は終了したので、本フローは終了する（エンド）。
【００４５】
どの撮影データもテンプレート画像と類似度が所定値以上の画像を含まないとき、制御部１０は携帯型メモリー３を所持していないと判定する（ステップ♯１３のＮｏ）。なお、他のアルゴリズムに基づき、制御部１０は携帯型メモリー３を持っているか否かを判定してもよい。複数又は全ての撮影データにおいて、紙又は携帯型メモリー３を所持していると判定できないとき（ステップ♯１３のＮｏ）、制御部１０は、所持物不明と判定する（ステップ♯１４）。そして、本フローは終了する（エンド）。
【００４６】
（移動履歴データ５の記憶）
次に、図５を用いて、実施形態に係る携帯通信装置２での移動履歴データ５の記憶を説明する。図５は、実施形態に係る移動履歴データ５の記憶の一例を示す図である。
【００４７】
図５を用いて、オフィスでの移動履歴データ５の記憶を説明する。図５のうち、中央上側の図は、画像形成装置１を示す。図５のうち、中央下側の図は、携帯者の勤務場所（机）を示す。図５のうち、右側の図は、携帯者の上司の勤務場所を示す。図５のうち、左側の図は、資料、文書が収められた倉庫（書庫）である。なお、以下の説明では、オフィス内での携帯者の移動について説明する。移動履歴データ５の記憶は、オフィス外で移動する場合にも行われる。
【００４８】
また、図５のうち、アルファベットの大文字を含む丸印は、Ｗｉ−Ｆｉの規格に基づく無線機器４を示す。言い換えると、アルファベットの大文字を含む丸印は、アクセスポイントである。アクセスポイントは、無線ローカルネットワークを構築するための無線機器４である。例えば、アクセスポイントは、天井に設置される。また、図５のうち、ギリシャ文字の小文字を含む四角形は、室内に設置されたＢｌｕｅｔｏｏｔｈの規格に基づく無線機器４を示す。なお、携帯通信装置２は画像形成装置１と通信する。そのため、図５の画像形成装置１も無線機器４の一種である。
【００４９】
携帯通信装置２の第２記憶部２１は移動履歴データ５を記憶する。移動履歴データ５は携帯者の移動の履歴を示す。経路取得アプリケーション２９が携帯通信装置２で動作している。経路取得アプリケーション２９に基づき、処理部２０は、移動履歴データ５を第２記憶部２１に記憶させる。具体的に、携帯者の移動に伴い、携帯通信装置２が無線機器４の通信可能エリアに新たに入ることがある。例えば、携帯通信装置２が無線機器４からのビーコン信号を受信する。
【００５０】
このとき、処理部２０は、新たに通信可能になった無線機器４との通信を無線通信部２８に行わせる。処理部２０は新たに通信可能になった無線機器４を認識する。処理部２０は無線機器４の識別用情報を無線通信部２８に取得させる。処理部２０は、取得順に（時系列で）識別用情報を並べたデータを移動履歴データ５として第２記憶部２１に記憶させる。なお、画像形成装置１の識別用情報は、経路取得アプリケーション２９を用いて、第２記憶部２１に登録しておくことができる。処理部２０は、画像形成装置１の識別用情報を新たに取得したことにより、画像形成装置１に近づいたことを認識できる。
【００５１】
処理部２０は、無線機器４のＭＡＣアドレスを識別用情報として無線通信部２８に取得させてもよい。処理部２０は、ＭＡＣアドレス以外の識別用情報を無線通信部２８に取得させてもよい。例えば、処理部２０はＳＳＩＤのようなＩＤ情報を取得してもよい。
【００５２】
例えば、図５において、自席を立ち、書庫で書類（資料）を取りだした後、画像形成装置１で書類をコピーする場合を考える。この場合、無線通信部２８は、無線機器４Ａ、無線機器４α、無線機器４Ｃ、無線機器４γ、画像形成装置１の順に通信可能になる。処理部２０は、新たな無線機器４の通信可能エリアに入るたびに、識別用情報を無線通信部２８に取得させる。識別用情報を取得するたびに、処理部２０は、新たに取得した識別用情報の移動履歴データ５への追加（更新）を第２記憶部２１に行わせる。この例では、無線機器４Ａの識別用情報、無線機器４αの識別用情報、無線機器４Ｃの識別用情報、無線機器４γの識別用情報、画像形成装置１の識別用情報の順に記述された移動履歴データ５が第２記憶部２１に記憶される。
【００５３】
別の例を説明する。例えば、自席を立ち、書類に上司のサインを受け、その書類のスキャン保存ジョブを実行する場合を考える。このとき、携帯者は、勤務場所（机）から上司の机に向かう。上司のサインを得た後、携帯者は、画像形成装置１に向かう。携帯者の移動経路は、勤務場所（自分の机）→上司の机→画像形成装置１となる。見方を変えると、移動経路が、勤務場所（自分の机）→上司の机→画像形成装置１の場合、スキャン保存ジョブを実行する可能性が高いと推測できる。つまり、特定のジョブを実行する前に、携帯者が一定の移動を行うことがある。
【００５４】
また、業務において、書類の扱いが定められている場合がある。例えば、上司がサインした書類の画像データの保存先が定められることがある。この場合、スキャン保存ジョブでは、特定のフォルダ（保存先、宛先）が設定値として設定される。また、保存する画像データのファイル形式が定められることもある。この場合、スキャン保存ジョブでは、特定のファイル形式が設定値として設定される。移動パターンに応じて、設定すべき設定値が一定である場合がある。
【００５５】
そこで、画像形成装置１は、画像形成装置１に到るまでの移動経路と、移動経路に対してよく実行されているジョブの種類、よく設定されている設定値を学習する。学習のため、画像形成装置１の制御部１０は、設定情報６を第１記憶部１１に記憶させる。設定情報６は、設定値データ７と経路データ８を含む（図７参照）。設定値データ７は、実行されたジョブの種類と各設定項目の設定値を示す。経路データ８は、設定値データ７に対応するジョブが実行されたときに携帯通信装置２（携帯者）が通信部１５（画像形成装置１）と通信可能になるまでの移動経路を示す。制御部１０は、設定情報６（設定値データ７と経路データ８に）基づき、設定値を設定する（詳細は後述）。
【００５６】
（現在経路データの取得）
次に、図６を用いて、実施形態に係る画像形成装置１による現在経路データの取得の流れの一例を説明する。図６は、実施形態に係る画像形成装置１による現在経路データの取得の流れの一例を示す図である。
【００５７】
図６のスタートは通信部１５が携帯通信装置２と通信可能になった時点である。新たに携帯通信装置２と通信可能になったとき（無線通信可能な携帯通信装置２が現れたとき）、画像形成装置１の制御部１０は、その携帯通信装置２に向けて、現在経路データの送信要求を通信部１５に送信させる（ステップ♯２１）。
【００５８】
無線通信部２８が現在経路データの送信要求を受信したとき、携帯通信装置２の処理部２０は、現在経路データを生成する（ステップ♯２２）。そして、処理部２０は、画像形成装置１の通信部１５に向けて、生成した現在経路データを無線通信部２８に送信させる（ステップ♯２３）。
【００５９】
現在経路データは移動履歴データ５に基づくデータである。現在経路データは画像形成装置１と通信可能になるまでの携帯者の移動経路を示すデータである。処理部２０は現在経路データを生成する。処理部２０は、移動履歴データ５から、連続する所定台数分の無線機器４の識別用情報を現在経路データとして抜き出す。所定台数は適宜定められる。例えば、所定台数は、数台〜十数台とすることができる。現在経路データのうち、時系列的に最後の識別用情報は、画像形成装置１よりも１台前に通信可能になった無線機器４となる。最後の識別用情報は画像形成装置１の識別用情報でもよい。
【００６０】
例えば、移動履歴データ５において、識別用情報が無線機器４Ａ→無線機器４α→無線機器４Ｃ→無線機器４γ→画像形成装置１の優先順位で記憶されているとする。所定台数が３台の場合、処理部２０は、無線機器４αの識別用情報と、無線機器４Ｃの識別用情報と、無線機器４γの識別用情報との組み合わせを現在経路データとして生成する。画像形成装置１の通信部１５は現在経路データを受信（取得）する（ステップ♯２４）。制御部１０は、受信した現在経路データを第１記憶部１１（ＲＡＭ１１ａ）に記憶させる（ステップ♯２５）。そして、本フローは終了する（エンド）。
【００６１】
（設定情報６の蓄積）
次に、図７、図８を用いて、実施形態に係る画像形成システム１００での設定情報６の蓄積の一例を説明する。図７は、実施形態に係る画像形成装置１の記憶内容の一例を示す図である。図８は、実施形態に係る画像形成装置１の設定情報６の蓄積の流れの一例を示す図である。
【００６２】
移動経路に対応するジョブの種類、設定値を学習するため、画像形成装置１の制御部１０は、設定情報６を第１記憶部１１に蓄積させる。第１記憶部１１（ストレージ１１ｃ）は複数の設定情報６を不揮発的に記憶する。設定情報６は自動的に設定値の設定に用いられる情報である。設定情報６は設定値データ７、経路データ８、使用頻度値６ａを含む。なお、設定情報６に基づく自動的な設定値の設定の詳細は後述する。
【００６３】
ここで、制御部１０は、第１記憶部１１（ＲＡＭ１１ａ）に現在設定値情報９を記憶させる（図２参照）。現在設定値情報９は、これから実行しようとするジョブについて、現在設定されている各設定項目の設定値を示す。現在設定値情報９は、現在の設定値を示すデータである。制御部１０は、選択されたジョブの種類の各設定項目の設定値の全てを現在設定値情報９として記憶させる。
【００６４】
なお、携帯通信装置２を持たずに画像形成装置１に近づいた場合、又は、制御部１０が第１記憶部１１の設定情報６に基づく自動的な設定値の設定をしない場合、操作パネル１２がジョブの選択を受け付けたときの全設定項目の設定値は、デフォルト値となる。第１記憶部１１（ストレージ１１ｃ）はデフォルト設定値データ９ａを不揮発的に記憶する。デフォルト設定値データ９ａは、各設定項目のデフォルトの設定値を定めたデータである。これらの場合、操作パネル１２がジョブの種類の選択を受け付けたとき、制御部１０は、デフォルト設定値データ９ａを読み出す。そして、制御部１０は、読み出したデータを現在設定値情報９とする。
【００６５】
携帯者は、所望の結果が得られるように、設定値を変更する。例えば、両面印刷はデフォルトでは無効とされる。両面印刷を行うとき、携帯者は、両面印刷機能の設定値を有効に変更する。設定値が変更されたとき、制御部１０は現在設定値情報９を更新する。制御部１０は、変更された設定値を現在設定値情報９に書き込む。
【００６６】
全ての設定値が所望の設定値となっているとき、携帯者はジョブの実行開始指示を行う。例えば、携帯者は操作パネル１２のスタートキーを操作する。操作パネル１２は、ジョブの実行開始指示を受け付ける。ジョブ実行開始指示がなされたとき（スタートが操作されたとき）、現在設定値情報９に基づき、制御部１０は、印刷部１４、画像読取部１３、又は、通信部１５にジョブを実行させる。
【００６７】
図８のスタートは、携帯者（携帯通信装置２）が画像形成装置１に近づき、画像形成装置１にジョブの実行を開始させた時点である。言い換えると、現在経路データをやりとりした携帯通信装置２と通信可能な状態のまま、ジョブが開始された時点である。ジョブの実行前、携帯者は、必要な設定項目の選択と設定値の設定を行っている。また、携帯通信装置２は、現在経路データを画像形成装置１に送信している。制御部１０は、設定情報６を蓄積するための処理を開始する。
【００６８】
まず、制御部１０は、第１記憶部１１が同一情報を記憶しているか否かを確認する（ステップ♯３１）。同一情報は、現在経路データと経路データ８が同じであり、かつ、実行を開始したジョブの現在設定値情報９と設定値データ７が同じ設定情報６である。ステップ♯３１では、今回実行されたジョブと同じ移動経路、同じ設定値のジョブが過去に実行されたか否かが確認される。
【００６９】
同一情報を記憶していないとき（ステップ♯３１のＮｏ）、画像形成装置１の制御部１０は、設定情報６を第１記憶部１１に新たに記憶させる（ステップ♯３２）。記憶させる設定情報６は、現在経路データを経路データ８とし、現在設定値情報９を設定値データ７とされる。そして、本フローは終了する（エンド）。これにより、携帯者の移動パターンと、移動パターンに対応するジョブの設定値が蓄積される。
【００７０】
同一情報を記憶しているとき（ステップ♯３１のＹｅｓ）、画像形成装置１の制御部１０は、同一情報の使用頻度値６ａを加算する（ステップ♯３３）。そして、本フローは終了する（エンド）。例えば、制御部１０は、同一情報と判定した設定情報６の使用頻度値６ａに１を加算する。使用頻度値６ａにより、ある移動経路に対し、よく用いられる設定値の組み合わせを学習することができる。
【００７１】
（画像形成装置１の設定値の自動設定）
次に、図９〜図１１を用いて、実施形態に係る画像形成装置１の設定値の自動設定の一例を説明する。図９、図１０は、実施形態に係る画像形成装置１の設定値の自動設定の一例を示す図である。図１１は、実施形態に係る選択画面Ｓ１の一例を示す図である。
【００７２】
画像形成装置１を使うとき、携帯者は画像形成装置１に近づく。図９のスタートは、画像形成装置１と携帯通信装置２とが通信可能になった時点である。言い換えると、画像形成装置１が、通信可能エリアに入った携帯通信装置２から現在経路データを取得した時点である。現在経路データを取得したとき、画像形成装置１の制御部１０は、第１記憶部１１が記憶する設定情報６のうち、経路データ８が現在経路データと同じ設定情報６を抽出する（ステップ♯４１）。以下の説明では、制御部１０がステップ♯４１で抽出した設定情報６を１次抽出情報と称する。次に、制御部１０は、複数の設定情報６を抽出したか（１次抽出情報が複数か）否かを確認する（ステップ♯４２）。
【００７３】
抽出した設定情報６が１つのとき（ステップ♯４２のＮｏ）、制御部１０は、抽出した設定情報６の設定値データ７に基づき、各設定項目の設定値を設定する（ステップ♯４３）。具体的に、制御部１０は第１記憶部１１の現在設定値情報９を書き換える。制御部１０は抽出した設定情報６の設定値データ７を現在設定値情報９の記憶領域に書き込む。これにより、移動パターンに対応する設定値を自動的に設定することができる。以前に同じ行動パターンをとったときに実行したジョブの設定状態を再現することができる。そして、制御部１０は設定画面を表示パネル１２ａに表示させる（ステップ♯４４→エンド）。
【００７４】
制御部１０は、抽出した設定情報６に対応するジョブの種類の設定画面を表示パネル１２ａに表示させる。例えば、抽出した設定情報６がコピージョブの設定値データ７を含むとき、制御部１０は、コピージョブの設定画面を表示パネル１２ａに表示させる。また、制御部１０は、抽出した設定情報６の設定値データ７で定義された設定値が反映されている設定画面を表示パネル１２ａに表示させる。どのような設定値が自動的に設定されたかを示すため、制御部１０は、デフォルト値と異なる設定値の一覧を表示パネル１２ａに表示させてもよい。画像形成装置１まで来た携帯者に設定内容を知らせることができる。
【００７５】
抽出した設定情報６（１次抽出情報）が複数のとき（ステップ♯４２のＹｅｓ）、制御部１０は、携帯者の所持物が紙であると判定したか否かを確認する（ステップ♯４５）。所持物は紙と判定しているとき（ステップ♯４５のＹｅｓ）、制御部１０は、複数の１次抽出情報から画像読取部１３を用いるジョブの設定情報６をさらに抽出する（ステップ♯４６）。例えば、制御部１０は、抽出された設定情報６のうち、コピージョブ、スキャン保存ジョブ、スキャン送信ジョブの設定情報６をさらに抽出する。以下の説明では、１次抽出情報から所持物に基づいてさらに抽出した設定情報６を２次抽出情報と称する。
【００７６】
所持物が紙であると判定していないとき（ステップ♯４５のＮｏ）、制御部１０は、携帯者の所持物が携帯型メモリー３と判定したか否かを確認する（ステップ♯４７）。所持物は携帯型メモリー３と判定しているとき（ステップ♯４７のＹｅｓ）、制御部１０は、複数の１次抽出情報から携帯型メモリー３を用いるジョブの設定情報６をさらに抽出する（ステップ♯４８）。例えば、制御部１０は、抽出された設定情報６のうち、メモリー接続印刷ジョブの設定情報６をさらに抽出する。
【００７７】
ステップ♯４６又はステップ♯４８の後、制御部１０は、２次抽出情報が複数か否かを確認する（ステップ♯４９）。２次抽出情報が１つのとき（ステップ♯４９のＮｏ）、２次抽出情報の設定値データ７に基づき、制御部１０は各設定項目の設定値を設定する（ステップ♯４１０）。具体的に、制御部１０は、２次抽出情報の設定値データ７の設定値が再現されるように、現在設定値情報９を第１記憶部１１に更新させる。これにより、移動パターンと所持物の組み合わせに対応する設定値を自動的に設定することができる。また、以前に紙又は携帯型メモリー３を所持しつつ、同じ行動パターンをとったときに実行したジョブの設定状態を再現することができる。そして、制御部１０は設定画面を表示パネル１２ａに表示させる（ステップ♯４１１→エンド）。
【００７８】
ステップ♯４１１では、制御部１０は、２次抽出情報に対応するジョブの種類の設定画面を表示パネル１２ａに表示させる。また、制御部１０は、２次抽出情報の設定値データ７で定義された設定値が反映されている設定画面を表示パネル１２ａに表示させる。どのような設定値が自動的に設定されたかを示すため、制御部１０は、デフォルト値と異なる設定値の一覧を表示パネル１２ａに表示させてもよい。
【００７９】
複数の１次抽出情報を抽出したが所持物を判定できなかったとき（ステップ♯４７のＮｏ）、又は、２次抽出情報が複数のとき（ステップ♯４９のＹｅｓ）、制御部１０は抽出した設定情報６の優先順位を定める（ステップ♯４１２）。具体的に、複数の１次抽出情報を抽出したものの所持物を判定できなかったとき、制御部１０は、各１次抽出情報の優先順位を定める。複数の２次抽出情報が抽出されたとき、制御部１０は、各２次抽出情報の優先順位を定める。制御部１０は、使用頻度値６ａが大きいほど優先順位を高くする。
【００８０】
制御部１０（画像形成装置１）は、選択画面Ｓ１を表示パネル１２ａに表示させる（ステップ♯４１３）。図１１は選択画面Ｓ１の一例を示す。選択画面Ｓ１は、１次抽出情報又は２次抽出情報に含まれる設定値データ７を携帯者に選択させるための画面である。
【００８１】
選択画面Ｓ１は、複数の領域に分割される。図１１の例では、分割された領域のうち、２つの領域が選択用領域Ｆ１とされる。選択用領域Ｆ１は、抽出した設定情報６に含まれる設定値データ７の内容を表示するための領域である。選択用領域Ｆ１の数は、２つに限られない。３つ以上でもよい。具体的に、複数の１次抽出情報を抽出したものの所持物を判定できなかったとき、制御部１０は、１つの選択用領域Ｆ１の中に、１つの１次抽出情報に含まれる設定値データ７の内容を表示する。複数の２次抽出情報が抽出されたとき、制御部１０は、１つの選択用領域Ｆ１の中に、１つの２次抽出情報に含まれる設定値データ７の内容を表示する。図１１は、選択用領域Ｆ１の内側に、ジョブの種類や、デフォルト値と異なる設定項目名と設定値を表示させる例を示す。
【００８２】
制御部１０は、抽出した設定情報６から選択用領域Ｆ１の数と同じ数の表示候補を選択する。制御部１０は、優先順位が最も高い設定情報６から順に表示候補を選択する。図１１の場合、優先順位が最高の設定情報６と、優先順位が２番目の設定情報６を選択する。具体的に、複数の１次抽出情報を抽出したものの所持物を判定できなかったとき、制御部１０は、複数の１次抽出情報から、優先順位が高い順に表示候補を選択する。複数の２次抽出情報が抽出されたとき、複数の２次抽出情報から、優先順位が高い順に表示候補を選択する。
【００８３】
使用者（携帯者）は、使用したい設定値を含む選択用領域Ｆ１に触れる。操作パネル１２は、設定情報６（設定値データ７、選択用領域Ｆ１）の選択を受け付ける。タッチパネル２３の出力に基づき、制御部１０は、選択された設定情報６を認識する。これにより、移動経路（移動パターン）に対し、よく設定する設定値のパターンが複数あるとき、所望の設定値データ７を抽出することができる。
【００８４】
そして、選択画面Ｓ１で選択された設定情報６（１次抽出情報又は２次抽出情報）の設定値データ７に基づき、制御部１０（画像形成装置１）は、各設定項目の設定値を設定する（ステップ♯４１４）。具体的に、制御部１０は、選択された設定値データ７の設定値が再現されるように、現在設定値情報９を第１記憶部１１に更新させる。そして、制御部１０は、設定画面を表示パネル１２ａに表示させる（ステップ♯４１５→エンド）。ステップ♯４１５は、ステップ♯４４やステップ♯４１１と同様である。
【００８５】
（使用する設定情報６の切替）
次に、図１２を用いて、実施形態に係る設定情報６の切替の一例を説明する。図１２は、実施形態に係る設定情報６（設定値データ７）の切替の一例を示す図である。
【００８６】
選択画面Ｓ１で設定情報６（設定値データ７）を選択したものの、他の設定情報６に基づき、設定したい場合がある。画像形成装置１では、使用する設定情報６を切り替えることができる。使用する設定情報６を切り替えるとき、携帯者は切替操作を行う。操作パネル１２は切替操作を受け付ける。どのような操作を切替操作と扱うかは、適宜定めることができる。図１２は、設定画面のうち、背景領域（操作用画像がない領域）をフリック操作（スワイプ操作）する操作を切替操作と扱う例を示している。フリック操作はタッチしたままタッチ位置をスライド移動させる操作である。
【００８７】
そして、予め定められた第１方向にタッチ位置が移動するように切替操作がなされたとき、制御部１０は、現在選択している設定情報６の次の優先順位の設定情報６を新たに選択する。予め定められた第２方向にタッチ位置が移動するように切替操作がなされたとき、制御部１０は、現在選択している設定情報６よりも１つ優先順位が高い設定情報６を新たに選択する。第２方向は第１方向と反対の方向である。第１方向は適宜定められる。例えば、第１方向は左方向とできる。この場合、第２方向は右方向となる。第１方向は下方向としてもよい。この場合、第２方向は上方向となる。
【００８８】
操作パネル１２が切替操作を受け付けたとき、制御部１０は、新たに選択された設定情報６に含まれる設定値データ７に基づき、各設定項目の設定値を設定する。制御部１０は、新たに選択された設定情報６の設定値データ７を現在設定値情報９と扱う。そして、制御部１０は、表示パネル１２ａに表示される画面を変更する。
【００８９】
制御部１０は、新たに選択された設定情報６の設定値データ７に対応するジョブの種類の設定画面を表示パネル１２ａに表示させる。また、制御部１０は、新たに選択された設定情報６の設定値データ７で定義された設定値が反映されている設定画面を表示パネル１２ａに表示させる。制御部１０は、デフォルト値と異なる設定値の一覧を一定時間、表示パネル１２ａに表示させてもよい。図１２は、切替操作による設定値と設定画面の変化の一例を示す。図１２のうち、上側の図は、切替操作前の設定画面の一例を示す。図１２の下側の図は、切替操作後の設定画面の一例を示す。
【００９０】
特定の設定値を組み合わせてジョブを実行するとき、画像形成装置１に到る前に、携帯者が決まった行動（移動）を行っている場合がある。例えば、書類に上司にサインをもらい、サイン済の書類をコピーする場合、自己のデスク→上司のデスク→画像形成装置１というルートで移動する。そして、サイン済の書類をコピーするとき、画像形成装置１で設定すべき設定値が決められている場合がある。移動経路により、使用者が所望する設定値を予測できる場合がある。
【００９１】
そこで、実施形態に係る画像形成装置１は、通信部１５、第１記憶部１１、制御部１０を含む。前記通信部１５は携帯通信装置２と通信する。前記第１記憶部１１は、現在設定値情報９と設定情報６を記憶する。前記制御部１０は、前記現在設定値情報９に基づきジョブを行わせる。前記現在設定値情報９は、これから実行しようとするジョブについて、現在設定されている各設定項目の設定値を示すデータである。前記設定情報６は、設定値データ７と経路データ８を含む。前記設定値データ７は、実行されたジョブの各設定項目の設定値を示す。前記経路データ８は、前記設定値データ７に対応するジョブが実行されたときに前記携帯通信装置２が前記通信部１５と通信可能となるまでの移動経路を示す。前記通信部１５は、前記携帯通信装置２と通信可能になったとき、前記携帯通信装置２から現在経路データを取得する。前記現在経路データは、今回、前記画像形成装置１と通信可能になるまでの前記携帯通信装置２の携帯者の移動経路を示す。前記通信部１５が前記現在経路データを取得したとき、前記制御部１０は、前記第１記憶部１１の前記設定情報６のうち、取得した前記現在経路データと前記経路データ８が同じ前記設定情報６を抽出する。前記制御部１０は、抽出した前記設定情報６の前記設定値データ７の前記設定値が再現されるように、前記現在設定値情報９を前記第１記憶部１１に更新させる。
【００９２】
これにより、携帯者の移動経路（行動パターン）に対応する設定値を自動的に設定することができる。画像形成装置１に到るまでの移動経路に基づき、携帯者が設定する可能性が高い設定値を自動的に設定することができる。設定操作を行わずにジョブを開始できる確率が高くなるように、画像形成装置１の設定値を自動的に設定することができる。
【００９３】
画像形成装置１は、携帯者を撮影するためのカメラ１７を含む。通信部１５が携帯通信装置２と通信可能になったとき、制御部１０は携帯者をカメラ１７に撮影させる。制御部１０は、撮影により得られた撮影データに基づき、携帯者の所持物を判定する。複数の設定情報６を抽出したとき、制御部１０は、抽出された設定情報６である１次抽出情報から所持物を用いて行うジョブの設定情報６をさらに抽出する。制御部１０は、１次抽出情報からさらに抽出した設定情報６である２次抽出情報の設定値データ７の設定値が再現されるように、現在設定値情報９を第１記憶部１１に更新させる。これにより、画像形成装置１に近づいた携帯者の所持物を判定することができる。所持物に基づき、携帯者が設定する可能性が高い設定値データ７（設定情報６）をさらに絞り込むことができる。自動的に設定情報６を絞り込むことができる。
【００９４】
携帯者が紙を持っている場合、ジョブに用いる（読み取る）原稿である可能性が高い。
画像形成装置１は、原稿を読み取る画像読取部１３を含む。制御部１０は、撮影データに基づき、所持物が紙であるか否かを判定する。所持物が紙であると判定したとき、制御部１０は、１次抽出情報のうち、画像読取部１３を用いるジョブの設定情報６を２次抽出情報として抽出する。これにより、画像形成装置１に近づいた携帯者の所持物が紙であるか否かを判定することができる。所持物が紙であるとき、原稿を読み取るジョブを行う可能性が高い。所持物が紙であるとき、画像読取部１３を用いるジョブの設定情報６を自動的に選び出すことができる。携帯者が設定したい設定値と対応する設定値データ７（設定情報６）だけを選び出すことができる。設定操作を行わずにジョブを開始できる確率をさらに高めることができる。
【００９５】
画像形成装置１は、携帯型メモリー３を接続し、携帯型メモリー３の読み書きを行うためのメモリーインターフェイス１６を含む。制御部１０は、撮影データに基づき、所持物が携帯型メモリー３であるか否かを判定する。所持物が携帯型メモリー３であると判定したとき、制御部１０は、１次抽出情報のうち、携帯型メモリー３を用いるジョブの設定情報６を２次抽出情報として抽出する。これにより、画像形成装置１に近づいた携帯者の所持物が携帯型メモリー３であるか否かを判定することができる。所持物が携帯型メモリー３のとき、携帯型メモリー３を用いるジョブを行う可能性が高い。所持物が携帯型メモリー３のとき、携帯型メモリー３を用いるジョブの設定情報６を自動的に選び出すことができる。携帯者が設定したい設定値と対応する設定情報６だけを選び出すことができる。設定操作を行わずにジョブを開始できる確率をさらに高めることができる。
【００９６】
画像形成装置１は操作パネル１２を備える。操作パネル１２は、表示パネル１２ａを含み、操作を受け付ける。複数の１次抽出情報を抽出したものの所持物を判定できなかったとき、又は、複数の２次抽出情報が抽出されたとき、制御部１０は、複数の１次抽出情報、又は、複数の２次抽出情報のなかから使用する設定情報６を選択するための選択画面Ｓ１を表示パネル１２ａに表示させる。制御部１０は、選択画面Ｓ１で選択された設定情報６に含まれる設定値データ７の設定値が再現されるように、現在設定値情報９を第１記憶部１１に更新させる。これにより、画像形成装置１だけでは設定情報６を絞り込みきれないとき、携帯者は、使用する設定情報６（設定値データ７）を自分で選ぶことができる。設定値データ７を選ぶだけで、所望の設定値を設定することができる。
【００９７】
制御部１０は、選択画面Ｓ１で選択された設定情報６に含まれる設定値データ７により設定される設定値を表示パネル１２ａに表示させる。設定値データ７に基づき設定される設定値を確認することができる。
【００９８】
ジョブが実行されたとき、制御部１０は、現在経路データと経路データ８が同じであり、かつ、実行したジョブの現在設定値情報９と設定値データ７が同じ設定情報６である同一情報を第１記憶部１１が記憶しているか否かを確認する。同一情報を記憶しているとき、制御部１０は、同一情報の使用頻度値６ａを加算する。複数の１次抽出情報を抽出したものの所持物を判定できなかったとき、又は、複数の２次抽出情報が抽出されたとき、制御部１０は、使用頻度値６ａが大きいほど優先順位が高くなるように抽出した各設定情報６の優先順位を設定する。制御部１０は、優先順位が高いものから順に、複数の設定情報６を表示候補として選択する。制御部１０は、表示候補として選択した設定情報６に含まれる設定値データ７の内容を選択画面Ｓ１に表示させる。これにより、携帯者の移動経路（行動パターン）に対応する設定情報６のうち、最も使用頻度が高い設定情報６を表示候補として選び出すことができる。携帯者の行動を学習し、移動経路にあわせた設定情報６を表示候補として選び出すことができる。
【００９９】
同一情報が記憶されていないとき、制御部１０は、現在経路データを経路データ８とし、現在設定値情報９を設定値データ７とする設定情報６を第１記憶部１１に新たに記憶させる。これにより、新たな移動経路と新たな設定値データ７の組み合わせ（新たな設定情報６）を自動的に画像形成装置１に登録することができる。
【０１００】
操作パネル１２は使用する設定情報６を切り替えるための切替操作を受け付ける。切替操作がなされたとき、制御部１０は、切替操作により新たに選択された設定情報６に含まれる設定値データ７の設定値が再現されるように、現在設定値情報９を第１記憶部１１に更新させる。これにより、設定情報６（設定値データ７）の選択を間違えたとき、正しい設定値データ７に容易に切り替えることができる。所望の設定値データ７を容易に選ぶことができる。
【０１０１】
画像形成システム１００は、上述の画像形成装置１と携帯通信装置２を含む。携帯通信装置２は、前記通信部１５と通信可能になったとき、前記通信部１５に前記現在経路データを送信する。この構成により、携帯通信装置２を持ったまま、画像形成装置１に近づくだけで、画像形成装置１の設定値を自動的に設定することができる。画像形成装置１に到るまでの移動経路に基づき、携帯者が設定したい可能性が高い設定値を自動的に設定することができる。設定操作を行わずに画像形成装置１のジョブを開始できる確率が高い画像形成システム１００を提供することができる。
【０１０２】
又、本発明の実施形態を説明したが、本発明の範囲はこれに限定されるものではなく、発明の主旨を逸脱しない範囲で種々の変更を加えて実施することができる。
【産業上の利用可能性】
【０１０３】
本発明は、画像形成装置、画像形成システムに利用可能である。
【符号の説明】
【０１０４】
１００  画像形成システム              １      画像形成装置
１０    制御部                        １１    第１記憶部
１２    操作パネル                    １２ａ  表示パネル
１５    通信部                        １７    カメラ
２      携帯通信装置                  ６      設定情報
７      設定値データ                  ８      経路データ
９      現在設定値情報                Ｓ１    選択画面
【図１】
2019097094.tif 000003
【図２】
2019097094.tif 000004
【図３】
2019097094.tif 000005
【図４】
2019097094.tif 000006
【図５】
2019097094.tif 000007
【図６】
2019097094.tif 000008
【図７】
2019097094.tif 000009
【図８】
2019097094.tif 000010
【図９】
2019097094.tif 000011
【図１０】
2019097094.tif 000012
【図１１】
2019097094.tif 000013
【図１２】
2019097094.tif 000014